(57)【要約】【課題】低コストで高速通信を実現することが出来る通信システム、送信装置、及び受信装置を提供する。【解決手段】通信システム（１）は、データを送信する送信装置（２）と、前記送信装置から送信されるデータを受信する受信装置（３）と、送信装置と受信装置とを接続する通信路（４）とを備える。送信装置は、比率情報と論理値との組み合わせを少なくとも３パターン以上記憶する論理値テーブル（２１３）を備える。送信装置は、送信データの論理値に基づいて、論理値テーブルから比率情報を読み出し、読み出した比率情報に基づいて１単位区間内における高電圧区間と低電圧区間との長さの比率を制御する。受信装置は、比率情報と論理値との組み合わせを少なくとも３パターン以上記憶する論理値テーブル（３１３）を備える。受信装置は、１単位区間内における高電圧区間と低電圧区間との長さの比率を特定し、特定した比率に基づいて論理値テーブルから論理値を読み出す。【選択図】      図１
2011166528.tif 000002
【特許請求の範囲】
【請求項１】
データを送信する送信装置と、前記送信装置から送信されるデータを受信する受信装置と、前記送信装置と前記受信装置とを接続する通信路とを備える通信システムであって、
前記送信装置は、
送信する送信データを生成するデータ生成手段と、
比率情報と論理値との組み合わせを少なくとも３パターン以上記憶する第１の論理値テーブルと、
前記データ生成手段により生成する送信データの論理値に基づいて、前記第１の論理値テーブルから比率情報を読み出し、読み出した比率情報に基づいて１単位区間内における高電圧区間と低電圧区間との長さの比率を制御する比率制御手段と、
前記比率制御手段により決定した比率に基づいて、前記通信路の電圧を制御する電圧制御手段と、
を具備し、
前記受信装置は、
前記通信路の電圧を検知する電圧検知手段と、
比率情報と論理値との組み合わせを少なくとも３パターン以上記憶する第２の論理値テーブルと、
前記電圧検知手段により検知する電圧に基づいて、１単位区間内における高電圧区間の長さと低電圧区間の長さとの比率を特定し、特定した比率に基づいて前記第２の論理値テーブルから論理値を読み出すデータ処理手段と、
を具備することを特徴とする通信システム。
【請求項２】
前記論理値テーブルは、各比率情報にそれぞれ異なる論理値を対応付けて記憶することを特徴とする請求項１に記載の通信システム。
【請求項３】
通信路を介して他の装置にデータを送信する送信装置であって、
送信する送信データを生成するデータ生成手段と、
比率情報と論理値との組み合わせを少なくとも３パターン以上記憶する論理値テーブルと、
前記データ生成手段により生成する送信データの論理値に基づいて、前記論理値テーブルから比率情報を読み出し、読み出した比率情報に基づいて１単位区間内における高電圧区間と低電圧区間との長さの比率を制御する比率制御手段と、
前記比率制御手段により決定した比率に基づいて、前記通信路の電圧を制御する電圧制御手段と、
を具備することを特徴とする送信装置。
【請求項４】
通信路を介して他の装置からデータを受信する受信装置であって、
前記通信路の電圧を検知する電圧検知手段と、
比率情報と論理値との組み合わせを少なくとも３パターン以上記憶する論理値テーブルと、
前記電圧検知手段により検知する電圧に基づいて、１単位区間内における高電圧区間の長さと低電圧区間の長さとの比率を特定し、特定した比率に基づいて前記論理値テーブルから論理値を読み出すデータ処理手段と、
を具備することを特徴とする受信装置。
【発明の詳細な説明】
【技術分野】
【０００１】
本発明は、例えば、通信路を介して通信を行う通信システム、送信装置、及び受信装置に関する。
【背景技術】
【０００２】
近年、ＩＣカードに搭載されるＩＣチップの高性能化に伴い、ＩＣチップに記憶されている複数のアプリケーションを実行することができるＩＣカード（携帯可能電子装置）が実用化されている。このようなＩＣカードは、専用のリーダライタ（端末装置）から電源を得て種々の処理を実行する。
【０００３】
例えば、特許文献１には、ＩＣカードとリーダライタとで通信路を介してデータの送受信を行う技術が開示されている。例えば、端末装置は、通信路に高い電圧を印加する状態（Ｈｉｇｈレベル）と、低い電圧を印加する状態（Ｌｏｗレベル）とを切り替えることにより、携帯可能電子装置に２値のデータを送信する。また、携帯可能電子装置は、通信路に大きい電流を流す状態と、小さい電流を流す状態とを切り替えることにより、端末装置に２値のデータを送信する。
【先行技術文献】
【特許文献】
【０００４】
【特許文献１】特開２００４−０６４６５７号公報
【発明の概要】
【発明が解決しようとする課題】
【０００５】
上記した技術では、例えば、１６進法で表現されるデータを２進法（２値データ）に置き換えることにより、データの送受信を行う。
【０００６】
端末装置の送信回路は、送信するデータの値に応じて通信路の電圧をＨｉｇｈレベルとＬｏｗレベルとで切り替えるように制御する。送信回路は、Ｈｉｇｈレベル状態の時間的な長さとＬｏｗレベルの状態の時間的な長さとの比率を調整することにより、１つのビットデータを送信する。
【０００７】
例えば、送信回路は、論理「０」のビットを送信する場合、Ｌｏｗレベルの電圧を印加する時間をＨｉｇｈレベルの電圧を印加する時間より長く設定する。また、送信回路は、論理「１」のビットを送信する場合、Ｈｉｇｈレベルの電圧を印加する時間をＬｏｗレベルの電圧を印加する時間より長く設定する。
【０００８】
通常、端末装置及び携帯可能電子装置におけるクロック速度を上げることにより、通信速度の高速化を実現する。しかし、ハードウェアにより高速化を実現する場合、高コストになるという問題がある。また、クロック速度がハードウェアの限界に達する場合、それ以上の高速化を実現することが出来ないという問題がある。
【０００９】
そこで、本発明の目的は、低コストで高速通信を実現することが出来る通信システム、送信装置、及び受信装置を提供することにある。
【課題を解決するための手段】
【００１０】
本発明の一実施形態としての通信システムは、データを送信する送信装置と、前記送信装置から送信されるデータを受信する受信装置と、前記送信装置と前記受信装置とを接続する通信路とを備える通信システムであって、前記送信装置は、送信する送信データを生成するデータ生成手段と、比率情報と論理値との組み合わせを少なくとも３パターン以上記憶する第１の論理値テーブルと、前記データ生成手段により生成する送信データの論理値に基づいて、前記第１の論理値テーブルから比率情報を読み出し、読み出した比率情報に基づいて１単位区間内における高電圧区間と低電圧区間との長さの比率を制御する比率制御手段と、前記比率制御手段により決定した比率に基づいて、前記通信路の電圧を制御する電圧制御手段と、を具備し、前記受信装置は、前記通信路の電圧を検知する電圧検知手段と、比率情報と論理値との組み合わせを少なくとも３パターン以上記憶する第２の論理値テーブルと、前記電圧検知手段により検知する電圧に基づいて、１単位区間内における高電圧区間の長さと低電圧区間の長さとの比率を特定し、特定した比率に基づいて前記第２の論理値テーブルから論理値を読み出すデータ処理手段と、を具備する
また、本発明の一実施形態としての送信装置は、通信路を介して他の装置にデータを送信する送信装置であって、送信する送信データを生成するデータ生成手段と、比率情報と論理値との組み合わせを少なくとも３パターン以上記憶する論理値テーブルと、前記データ生成手段により生成する送信データの論理値に基づいて、前記論理値テーブルから比率情報を読み出し、読み出した比率情報に基づいて１単位区間内における高電圧区間と低電圧区間との長さの比率を制御する比率制御手段と、前記比率制御手段により決定した比率に基づいて、前記通信路の電圧を制御する電圧制御手段と、を具備する。
【００１１】
また、本発明の一実施形態としての受信装置は、通信路を介して他の装置からデータを受信する受信装置であって、前記通信路の電圧を検知する電圧検知手段と、比率情報と論理値との組み合わせを少なくとも３パターン以上記憶する論理値テーブルと、前記電圧検知手段により検知する電圧に基づいて、１単位区間内における高電圧区間の長さと低電圧区間の長さとの比率を特定し、特定した比率に基づいて前記論理値テーブルから論理値を読み出すデータ処理手段と、を具備する。
【発明の効果】
【００１２】
この発明の一形態によれば、低コストで高速通信を実現することが出来る通信システム、送信装置、及び受信装置を提供することができる。
【図面の簡単な説明】
【００１３】
【図１】図１は、本発明の一実施形態に係る通信システム、送信装置、及び受信装置の構成の例を概略的に示すブロック図である。
【図２】図２は、図１に示す送信回路及び受信回路の構成について説明するための説明図である。
【図３】図３は、図１に示す端末装置から携帯可能電子装置に送信するデータの例について説明する為の説明図である。
【図４】図４は、図１に示す端末装置及び携帯可能電子装置が保持する論理値テーブルについて説明する為の説明図である。
【図５】図５は、図１に示す端末装置から携帯可能電子装置に送信するデータの例について説明する為の説明図である。
【発明を実施するための形態】
【００１４】
以下、図面を参照しながら、本発明の一実施形態に係る通信システム、送信装置、及び受信装置について詳細に説明する。
【００１５】
図１及び図２は、本発明の一実施形態に係る通信システム、送信装置、及び受信装置の構成の例を概略的に示す図である。  
通信システム１は、電子処理端末（端末装置）２、携帯可能電子装置（ＩＣカード）３、及び通信路４を備えている。端末装置２とＩＣカード３とは、通信路４により接続されている。端末装置２とＩＣカード３とは、通信路４を介して双方向にデータ通信を行う。即ち、この場合、端末装置２は、送信装置及び受信装置として機能する。また、ＩＣカード３も同様に、送信装置及び受信装置として機能する。
【００１６】
端末装置２は、制御部２１、送信回路２２、及び受信回路２３などを備える。またさらに、端末装置２は、表示装置及び操作部などを備える。
【００１７】
ＩＣカード３と接触式通信を行うように構成される場合、端末装置２は、接触端子を備える。端末装置２は、ＩＣカード３のコンタクトパターンと接触端子を接続することにより、電気的に接続する。端末装置２は、接触端子を介してＩＣカード３に動作電源及び動作クロックなどを供給する。
【００１８】
制御部２１は、ＣＰＵ、及び種々のメモリを備えている。メモリは、例えば、ＲＯＭ、ＲＡＭ、及び不揮発性メモリなどにより構成される。ＲＯＭは、制御用のプログラム、および制御データなどを予め記憶している。また、ＲＡＭは、ワーキングメモリとして機能し、制御部２１が処理中のデータなどを一時保管する。不揮発性メモリは、本装置の処理結果などを記憶する。制御部２１は、端末装置２の全体の動作を制御する。
【００１９】
制御部２１は、送信回路２２により、ＩＣカード３に対して種々のコマンドを入力する。また、制御部２１は、受信回路２３により、ＩＣカード３から送信されるレスポンスを受信する。制御部２１は、ＩＣカード３から受信したデータに基づいて種々の処理を行う。
【００２０】
また、表示装置は、制御部２１の制御により種々の情報を表示する。操作部は、端末装置２の操作者による操作を操作信号として受け取る。
【００２１】
さらに、制御部２１は、ハードウェア、またはソフトウェアにより実現される送受信制御部２１１、及びデータ処理部２１２を備える。送受信制御部２１１は、送信回路２２、及び受信回路２３の動作を制御する。データ処理部２１２は、送信回路２２、及び受信回路２３により送受信するデータを処理する。例えば、データ処理部２１２は、ＩＣカード３に送信する送信データを生成するデータ生成手段として機能する。
【００２２】
また、端末装置２は、内部で通信路４をプルアップしている。また、端末装置２は、通信路４を流れる電流を測定する機能を備えている。
【００２３】
ＩＣカード３は、プラスチックなどで形成されたカード状の本体と本体に埋め込まれたＩＣモジュールとを備えている。ＩＣモジュールは、ＩＣチップを有している。ＩＣチップは、制御部３１、送信回路３２、及び受信回路３３などを備える。
【００２４】
ＩＣカード３は、端末装置２などの上位機器から電力の供給を受けた場合、動作可能な状態になる。例えば、ＩＣカード３が接触式通信により端末装置２と接続される場合、つまり、ＩＣカード３が接触式のＩＣカードである場合、ＩＣカード３は、例えばコンタクトパターンなどの接触端子を備える。ＩＣカード３は、コンタクトパターンなどの接触端子を介して端末装置２からの動作電源及び動作クロックの供給を受けとる。ＩＣカード３は、受け取った動作電源及び動作クロックにより動作する。
【００２５】
制御部３１は、ＩＣカード３の動作を総合的に制御する。制御部３１は、メモリを備えている。メモリは、例えば、ＲＯＭ、ＲＡＭ、及び不揮発性メモリなどにより構成される。ＲＯＭは、制御用のプログラム、および制御データなどを予め記憶している。また、ＲＡＭは、ワーキングメモリとして機能し、制御部３１が処理中のデータなどを一時保管する。不揮発性メモリは、本装置の処理結果などを記憶する。
【００２６】
制御部３１は、送信回路３２により、端末装置２に対してデータを送信する。また、制御部３１は、受信回路３３により、端末装置２から送信されるコマンドを受信する。即ち、制御部３１は、端末装置２から受信回路３３により受信するコマンドに基づいて処理を行い、レスポンスデータを作成する。制御部３１は、作成したレスポンスデータを送信回路３２により端末装置２に送信する。
【００２７】
さらに、制御部３１は、ハードウェア、またはソフトウェアにより実現される送受信制御部３１１、及びデータ処理部３１２を備える。送受信制御部３１１は、送信回路３２、及び受信回路３３の動作を制御する。データ処理部３１２は、送信回路３２、及び受信回路３３により送受信するデータを処理する。  
また、ＩＣカード３は、通信路４の電圧を監視する機能を備える。
【００２８】
端末装置２は、送信するデータの値に応じて通信路４の電圧をＨｉｇｈレベルとＬｏｗレベルとで切り替えるように制御する。端末装置２は、ＩＣカード３に送信するデータに応じて、Ｈｉｇｈレベル状態の時間的な長さとＬｏｗレベルの状態の時間的な長さとの比率を調整する。ＩＣカード３は、通信路４の電圧の変化に基づいて端末装置２から送信されるデータを解釈する。
【００２９】
また、ＩＣカード３は、端末装置２に送信するデータに応じて、通信路４を流れる電流を制御する。端末装置２は、通信路４を流れる電流量の変化に基づいてＩＣカード３から送信されるデータを解釈する。
【００３０】
図２に示すように、端末装置２の送信回路２２及び受信回路２３は、電流測定部２４、及び電源２５を備えている。
【００３１】
電流測定部２４は、通信路４の電流を測定する。制御部２１のデータ処理部２１２は、電流測定部２４により検出する電流値に基づいてデータを取得する。例えば、データ処理部２１２は、通信路４に電流が流れていると判定した場合「１」のビットデータを受信する。また、データ処理部２１２は、通信路４に電流が流れていないと判定した場合「０」のビットデータを受信する。
【００３２】
電源２５は、通信路４に電圧を印加する。送受信制御部２１１は、ＩＣカード３に送信するデータに応じて通信路４に印加する電圧を変化させるように送信回路２２を制御する。
【００３３】
また、図２に示すように、ＩＣカード３の送信回路３２及び受信回路３３は、電圧測定部３４、定電流源３５、定電流源３６、及びスイッチ３７を備えている。
【００３４】
電圧測定部３４は、通信路４の電圧を測定する。電圧測定部３４は、電圧検知手段として機能する。制御部３１のデータ処理部３１２は、電圧測定部により検出する通信路４の電圧値に基づいて、データを取得する。
【００３５】
定電流源３５及び３６は、通信路４に所定の値の電流を流すための定電流源である。定電流源３６は、定電流源３５より大きい値の電流を流すように設定されている。スイッチ３７は、定電流源３５及び３６と、通信路４との間に設けられる。スイッチ３７は、通信路に接続する定電流源を定電流源３５と定電流源３６とで切り替える。
【００３６】
即ち、ＩＣカード３の送受信制御部３１１は、端末装置２に送信するデータに基づいてスイッチ３７を制御することにより、通信路４と接続する定電流源を定電流源３５と定電流源３６とで切り替える。この結果、通信路４に出力される電流の値は、２値のいずれかに変化する。これにより、ＩＣカード３は、通信路４を介して端末装置２にデータを送信する。
【００３７】
従来の端末装置は、１単位区間内に２値データを１ビット送信する。この１単位区間は、通信路４に高電圧を印加する区間（Ｈｉｇｈレベル区間、または高電圧区間）と、通信路４に低電圧を印加する区間（Ｌｏｗレベル区間、または低電圧区間）とにより構成される。なお、Ｈｉｇｈレベル区間とＬｏｗレベル区間とは連続している。
【００３８】
端末装置は、データをＩＣカードに送信する処理を開始する場合、通信路４の電圧がＨｉｇｈレベルになるように制御する。端末装置は、送信するデータの論理値に応じて、通信路４の電圧をＨｉｇｈレベルからＬｏｗレベルに減圧するタイミングを制御する。また、次のビットの送信処理を開始する場合、端末装置２は、通信路４の電圧をＨｉｇｈレベルに引き上げる。
【００３９】
これに対し、本実施形態に係る端末装置２は、上記の１単位区間内に、２値以上のデータ、または、２値データを２ビット以上を送信することができる。
【００４０】
図３は、図１に示す端末装置２からＩＣカード３に送信するデータの例について説明する為の説明図である。ここでは、１単位区間内に２値データを２ビット送信する例について説明する。  
２ビットの２値データのパターンは、論理「００」、論理「０１」、論理「１０」、及び論理「１１」の４通りである。
【００４１】
端末装置２は、１単位区間内におけるＨｉｇｈレベル区間長さとＬｏｗレベル区間の長さの比率を制御することにより、上記の４通りのデータを表現する。この為に、端末装置２の制御部２１は、図１に示すように、論理値テーブル２１３をさらに備える。
【００４２】
図４は、図１に示す論理値テーブル２１３の保持する情報について説明する為の説明図である。論理値テーブル２１３は、２ビットのデータの組み合わせ（論理値）と、Ｈｉｇｈレベル区間及びＬｏｗレベル区間の比率（比率情報）とを対応付けて記憶する。端末装置２の送受信制御部２１１は、送信するデータの論理値に応じて論理値テーブル２１３からＨｉｇｈレベル区間及びＬｏｗレベル区間の比率を示す情報を読み出す。端末装置２の送受信制御部２１１は、読み出した比率情報に基づいて通信路４の電圧の制御を行う。
【００４３】
例えば、端末装置２の送受信制御部２１１は、論理「００」のデータ（第１のデータ）をＩＣカード３に送信する場合、Ｈｉｇｈレベル区間とＬｏｗレベル区間との長さの比率が「１：４」の比率（第１の比率）になるように通信路４に印加する電圧を制御する。即ち、送受信制御部２１１は、比率制御手段及び電圧制御手段として機能する。
【００４４】
また、送受信制御部２１１は、論理「０１」のデータ（第２のデータ）をＩＣカード３に送信する場合、Ｈｉｇｈレベル区間とＬｏｗレベル区間との長さの比率が「２：３」の比率（第２の比率）になるように通信路４に印加する電圧を制御する。
【００４５】
さらに、送受信制御部２１１は、論理「１０」のデータ（第３のデータ）をＩＣカード３に送信する場合、Ｈｉｇｈレベル区間とＬｏｗレベル区間との長さの比率が「３：２」の比率（第３の比率）になるように通信路４に印加する電圧を制御する。
【００４６】
またさらに、送受信制御部２１１は、論理「１１」のデータ（第４のデータ）をＩＣカード３に送信する場合、Ｈｉｇｈレベル区間とＬｏｗレベル区間との長さの比率が「４：１」の比率（第４の比率）になるように通信路４に印加する電圧を制御する。
【００４７】
また、本実施形態に係るＩＣカード３のデータ処理部３１２は、電圧測定部３４により通信路４の電圧を監視する。データ処理部３１２は、通信路４の電圧がＬｏｗレベルからＨｉｇｈレベルに変化することを検知する場合、端末装置２からデータが送信されることを認識する。
【００４８】
データ処理部３１２は、電圧測定部３４により通信路４の電圧がＨｉｇｈレベルからＬｏｗレベルに変化することを検知する場合、Ｈｉｇｈレベル区間の長さを特定する。さらに、データ処理部３１２は、通信路４の電圧がＬｏｗレベルからＨｉｇｈレベルに変化することを検知する場合、Ｌｏｗレベル区間の長さを特定する。さらに、この場合、データ処理部３１２は、次のデータが端末装置２から送信されることを認識する。
【００４９】
データ処理部３１２は、特定したＨｉｇｈレベル区間の長さとＬｏｗレベル区間の長さとに基づいて、受信したデータの解釈を行う。この為に、ＩＣカード３の制御部３１は、図１に示すように論理値テーブル３１３を備える。なお、この論理値テーブル３１３は、図４で示す論理値テーブル２１３と同様の情報を保持する。
【００５０】
ＩＣカード３のデータ処理部３１２は、特定したＨｉｇｈレベル区間の長さとＬｏｗレベル区間の長さとに基づいて、１単位区間におけるＨｉｇｈレベル区間とＬｏｗレベル区間との長さの比率を特定する。ＩＣカード３のデータ処理部３１２は、特定した比率に対応する論理値を制御部３１の論理値テーブル３１３から読み出す。これにより、ＩＣカード３は、端末装置２から受信するデータを認識する。即ち、データ処理部３１２は、データ処理手段として機能する。
【００５１】
例えば、特定したＨｉｇｈレベル区間とＬｏｗレベル区間との長さの比率が「１：４」の比率（第１の比率）である場合、データ処理部３１２は、論理「００」のデータ（第１のデータ）が端末装置２から送信されたと解釈する。
【００５２】
また、特定したＨｉｇｈレベル区間とＬｏｗレベル区間との長さの比率が「２：３」の比率（第２の比率）である場合、データ処理部３１２は、論理「０１」のデータ（第２のデータ）が端末装置２から送信されたと解釈する。
【００５３】
さらに、特定したＨｉｇｈレベル区間とＬｏｗレベル区間との長さの比率が「３：２」の比率（第３の比率）である場合、データ処理部３１２は、論理「１０」のデータ（第３のデータ）が端末装置２から送信されたと解釈する。
【００５４】
またさらに、特定したＨｉｇｈレベル区間とＬｏｗレベル区間との長さの比率が「４：１」の比率（第４の比率）である場合、データ処理部３１２は、論理「１１」のデータ（第４のデータ）が端末装置２から送信されたと解釈する。
【００５５】
図５は、図１に示す端末装置２からＩＣカード３に送信するデータの例について説明する為の説明図である。  
端末装置２からＩＣカード３にデータを送信する場合、端末装置２のデータ処理部２１２は、所定のフォーマットであるデータフレームを生成する。データフレームは、送信するデータの本体であるキャラクタと、Ｓｔａｒｔ  ｏｆ  Ｆｒａｍｅ（ＳＯＦ）と、Ｅｎｄ  ｏｆ  Ｆｒａｍｅ（ＥＯＦ）とを備える。
【００５６】
ＳＯＦは、データフレームの先頭を示す情報である。ＥＯＦは、フレームの最後尾を示す情報である。ＳＯＦ及びＥＯＦは、所定の論理値の組み合わせにより構成される信号である。ＩＣカード３は、上記のＳＯＦ及びＥＯＦを受信する場合、フレームデータの先頭及び終端を認識する。
【００５７】
端末装置２のデータ処理部２１２は、１つ、または複数のキャラクタを連結する。データ処理部２１２は、連結したキャラクタの前後にＳＯＦ及びＥＯＦを連結する。これにより、データ処理部２１２は、データフレームを生成する。
【００５８】
図５に示すように、端末装置２のデータ処理部２１２は、ＳＯＦとして論理データ「１１１１１１」を生成する。データ処理部２１２は、ＳＯＦの論理データを２ビットずつ区切り、上記した方法によりデータを送信する。
【００５９】
また、データ処理部２１２は、キャラクタデータ「ＡＡ」を生成する。データ処理部２１２は、キャラクタデータ「ＡＡ」を２ビットずつ区切る。この場合、データ処理部２１２は、論理データ「１０」、「１０」、「１０」、及び「１０」を上記した方法により送信する。
【００６０】
また、データ処理部２１２は、キャラクタデータ「２８」を生成する。データ処理部２１２は、キャラクタデータ「２８」を２ビットずつ区切る。この場合、データ処理部２１２は、論理データ「００」、「１０」、「１０」、及び「００」を上記した方法により送信する。
【００６１】
また、データ処理部２１２は、キャラクタデータ「ＦＡ」を生成する。データ処理部２１２は、キャラクタデータ「ＦＡ」を２ビットずつ区切る。この場合、データ処理部２１２は、論理データ「１１」、「１１」、「１０」、及び「１０」を上記した方法により送信する。
【００６２】
さらに、データ処理部２１２は、ＥＯＦとして論理データ「１１１１１１１０」を生成する。データ処理部２１２は、ＥＯＦの論理データを２ビットずつ区切り、上記した方法によりデータを送信する。
【００６３】
上記したように、本実施形態に係る通信システム１の端末装置２（送信回路）は、送信するデータに応じて、１単位区間内のＨｉｇｈレベル区間の長さとＬｏｗレベル区間の長さとの比率を複数パターンの中で制御する。通信システム１のＩＣカード３（受信回路）は、受信するデータからＨｉｇｈレベル区間の長さとＬｏｗレベル区間の長さとの比率を特定する。ＩＣカード３は、特定した比率に応じて、受信したデータを解釈する。
【００６４】
これにより、通信システム１は、１つのＨｉｇｈレベル区間と１つのＬｏｗレベル区間から構成される１単位区間の信号により送信することができるデータの情報量を増やすことが出来る。この為、本発明は、通信速度を高速化することができる。さらに、また、本発明は、従来と同程度の消費電力により実現することが出来る為、１ビット当たりの電力消費を抑えることができる。この結果、低コストで高速通信を実現することが出来る通信システム、送信装置、及び受信装置を提供することができる。
【００６５】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【００６６】
なお、上記した実施形態では、１単位区間内におけるＨｉｇｈレベル区間の長さとＬｏｗレベル区間の長さとの比率のパターンとして、第１乃至第４の比率を例に示して説明したが、この構成に限定されない。１単位区間内におけるＨｉｇｈレベル区間の長さとＬｏｗレベル区間の長さとの比率のパターンは、少なくとも３パターン以上であればよい。即ち、論理値テーブル２１３及び３１３には、少なくとも３パターン以上の情報が記憶される。また、表現する情報量に応じて、比率のパターンをさらに増やしてもよい。
【００６７】
例えば、１単位区間で３ビットの２値データを表現する場合、８パターンの比率を設定する必要がある。また、１単位区間で４ビットの２値データを表現する場合、１６パターンの比率を設定する必要がある。即ち、端末装置２は、表現するデータの種類に応じて１単位区間内におけるＨｉｇｈレベル区間の長さとＬｏｗレベル区間の長さとの比率のパターンの数を設定することにより、さらに多量のデータを１単位区間中に送信することが出来る。
【００６８】
また、１単位区間内におけるＨｉｇｈレベル区間の長さとＬｏｗレベル区間の長さとの比率のパターンは、「１：４」、「２：３」、「３：２」、及び「４：１」にそれぞれ第１乃至第４の比率を設定して説明したが、この構成に限定されない。この比率は、送信装置と受信装置とで整合性が取れていれば如何なる比率であってもよい。
【符号の説明】
【００６９】
１…通信システム、２…端末装置、３…ＩＣカード、４…通信路、２１…制御部、２２…送信回路、２３…受信回路、２４…電流測定部、２５…電源、３１…制御部、３２…送信回路、３３…受信回路、３４…電圧測定部、３５…定電流源、３６…定電流源、３７…スイッチ、２１１…送受信制御部、２１２…データ処理部、２１３…論理値テーブル、３１１…送受信制御部、３１２…データ処理部、３１３…論理値テーブル。
【図１】
2011166528.tif 000003
【図２】
2011166528.tif 000004
【図３】
2011166528.tif 000005
【図４】
2011166528.tif 000006
【図５】
2011166528.tif 000007